(57)【要約】【課題】部品点数が少なく、構造が簡単で常に安定した押さえ力を発揮し得る冊子用押さえ具及び冊子用陳列棚を提供する。【解決手段】本考案の冊子用押さえ具３は最前列の冊子Ａの前面に当接する当接部２３と、該当接部２３に自由端側が接続され、基端側に設けられる軸部２７を回動中心として回動するアーム部２５と、前記軸部２７を回転自在に支承する軸受部３１とを備え、前記アーム部２５は前記軸部２７を両端に備え、これらの軸部２７を外方に押し拡げるように付勢する弾性作用部２９を中間部に備え、更に前記軸受部３１の内方端面にはアーム部２５を冊子Ａ側に向けて回動させる案内傾斜面３３が形成されている。【選択図】        図１
0003130733.tif 000002
【実用新案登録請求の範囲】
【請求項１】
起立姿勢でストックされる多数冊の冊子を数の増減に関係なく保持して冊子の傾倒を防止する冊子用押さえ具において、
前記冊子用押さえ具は最前列の冊子の前面に当接する当接部と、該当接部に自由端側が接続され、基端側に設けられる軸部を回動中心として回動するアーム部と、前記軸部を回転自在に支承する軸受部とを備え、
前記アーム部は前記軸部を両端に備え、これらの軸部を外方に押し拡げるように付勢する弾性作用部を中間部に備え、更に前記軸受部の内方端面には前記アーム部を冊子側に向けて回動させる案内傾斜面が形成されていることを特徴とする冊子用押さえ具。
【請求項２】
請求項１に記載した冊子用押さえ具において、前記アーム部は弾性変形可能な１本の棒状部材を湾曲させることによって形成されていることを特徴とする冊子用押さえ具。
【請求項３】
請求項１または２に記載した冊子用押さえ具において、前記軸受部は前記軸部に外嵌めされるパイプ材によって構成されており、該パイプ材の内方端部を前方から後方に向けて対向するパイプ材間の間隔が広くなるように斜めにカットすることによって前記案内傾斜面が形成されていることを特徴とする冊子用押さえ具。
【請求項４】
支持フレームと、該支持フレームに取り付けられ多数冊の冊子を起立姿勢でストックし得るストッカ部とを備えた冊子用陳列棚において、
前記ストッカ部の一部または全部には請求項１〜３のいずれかに記載の冊子用押さえ具が取り付けられていることを特徴とする冊子用陳列棚。
【考案の詳細な説明】
【技術分野】
【０００１】
本考案は、起立姿勢でストックされる多数冊の冊子を数の増減に関係なく保持して冊子の傾倒を防止する冊子用押さえ具及び外冊子用押さえ具を適用した冊子用陳列棚に関するものである。
【背景技術】
【０００２】
スーパー、コンビニエンスストア、ファミリーレストラン、書店、旅行代理店等の店頭や店内、あるいは駅構内には各種の冊子、例えばフリーペーパーと呼ばれている無料で配布される冊子が起立姿勢で多数陳列されている。
このような冊子は専用の冊子用陳列棚を使用して陳列されており、該冊子は冊子をストックしておけるストッカ部に設けられている冊子用押さえ具によって数の増減に関係なく傾倒することのないように起立姿勢が保たれている。
【０００３】
従来の冊子用押さえ具の構造はトーションバネ等のバネ部材を使用して冊子の傾倒を防止するようにしたものやウエイト（錘）を使用して冊子の傾倒を防止するようにしたものがあった。しかし前者は部品点数が増えて構造が複雑になるためコストアップにつながってしまう。
一方、後者はウエイトの重量が重いと冊子が取りにくくなり、逆にウエイトの重量が軽いと冊子を多数ストックした場合に冊子の重さにウエイトの重量が負けてしまって冊子が倒れてしまうという問題を有していた。またウエイトはウエイトを支えるアームの角度によって（例えば垂直になると）、ウエイトが効かないという問題点を有していた。
【考案の開示】
【考案が解決しようとする課題】
【０００４】
本考案は、上記の背景技術及び背景技術が抱えていた問題点の存在を踏まえてなされたものであって、少ない部品点数で構造が簡単であり、アーム部の角度に因ることなく常に安定した押さえ力を発揮して冊子の傾倒を防止することのできる冊子用押さえ具及び該冊子用押さえ具を適用した冊子用陳列棚を提供することを課題とするものである。
【課題を解決するための手段】
【０００５】
上記課題を解決するために請求項１に記載した考案は、起立姿勢でストックされる多数冊の冊子を数の増減に関係なく保持して冊子の傾倒を防止する冊子用押さえ具において、前記冊子用押さえ具は最前列の冊子の前面に当接する当接部と、該当接部に自由端側が接続され、基端側に設けられる軸部を回動中心として回動するアーム部と、前記軸部を回転自在に支承する軸受部とを備え、前記アーム部は前記軸部を両端に備え、これらの軸部を外方に押し拡げるように付勢する弾性作用部を中間部に備え、更に前記軸受部の内方端面には前記アーム部を冊子側に向けて回動させる案内傾斜面が形成されていることを特徴とする冊子用押さえ具である。
【０００６】
請求項２に記載した考案は、請求項１に記載した冊子用押さえ具において、前記アーム部は弾性変形可能な１本の棒状部材を湾曲させることによって形成されていることを特徴とする冊子用押さえ具である。
【０００７】
請求項３に記載した考案は、請求項１または２に記載した冊子用押さえ具において、前記軸受部は前記軸部に外嵌めされるパイプ材によって構成されており、該パイプ材の内方端部を前方から後方に向けて対向するパイプ材間の間隔が広くなるように斜めにカットすることによって前記案内傾斜面が形成されていることを特徴とする冊子用押さえ具である。
【０００８】
請求項４に記載した考案は、支持フレームと、該支持フレームに取り付けられ多数冊の冊子を起立姿勢でストックし得るストッカ部とを備えた冊子用陳列棚において、前記ストッカ部の一部または全部には請求項１〜３のいずれかに記載の冊子用押さえ具が取り付けられていることを特徴とする冊子用陳列棚である。  
【考案の効果】
【０００９】
本考案の冊子用押さえ具及び冊子用陳列棚によれば、アーム部自体に弾性作用を担わせ、軸受部に案内傾斜面を形成することによって別途のバネ部材等の使用を省略することができる。従って部品点数を少なくし、構造が簡単でコストダウンに寄与する冊子用押さえ具を提供することができる。また上記構成の冊子用押さえ具は冊子の数やアーム部の角度に因ることなく、常に安定した押さえ力を発揮し得るから冊子の傾倒を一層防止し得るようになる。
またアーム部を１本の棒状部材によって構成し、軸受部をパイプ材によって形成した場合には、更に構造が簡単になり、一層のコストダウンを図ることができる。
【考案を実施するための最良の形態】
【００１０】
本願考案を実施するための最良の形態を図示の実施の形態を例に採って具体的に説明する。以下の説明ではフリーペーパー等の冊子Ａの陳列に好適なデザインの冊子用陳列棚１を例にとり、当該冊子用陳列棚１の構成について説明し、その説明の中で併せて当該冊子用陳列棚１に適用される本考案の冊子用押さえ具３について説明する。
図１は冊子用押さえ具３が設けられている冊子用陳列棚１の上部を示している。冊子用陳列棚１は支持フレーム５と、該支持フレーム５に取り付けられるストッカ部７と、該ストッカ部７に取り付けられる冊子用押さえ具３とを備えている。
【００１１】
支持フレーム５は金属製の角パイプを溶接等によってラック状に組み立てた部材である。支持フレーム５の底部には冊子用陳列棚１の移動を容易にするための図示しないキャスタが設けられている。
そしてキャスタが設けられている支持フレーム５の底部のコーナ部から上方に向けて４本の支柱９、９、１１、１１が立ち上げられている。またこのうち前方に位置する２本の支柱９、９の上部は後方に向けて湾曲形成されており、後方の２本の支柱１１、１１の上部前面に接続されている。
【００１２】
また後方の支柱１１、１１の上部には幅方向Ｂに横梁１３が架け渡されている。この他図示は省略するが前方の支柱９、９と後方の支柱１１、１１との間と、後方の支柱１１、１１の間には補強用の梁が適宜の数、設けられている。
ストッカ部７は支持フレーム５に対して取り付けられ多数冊の冊子Ａを起立姿勢でストックし得る部材である。ストッカ部７は金属製の線径の細い丸棒状の部材を適宜折り曲げてバスケット状に組み立てたものであり、支持フレーム５に対して適宜の数、設けられている。またこのうち支持フレーム５の上部に設けられるストッカ部７には冊子Ａの下辺部を支える矩形平板状の底板１５が設けられている。
【００１３】
図１に示す支持フレーム５の上部に設けられるストッカ部７は、底板１５の前方のコーナ部付近を通り上方に延びた後、左右に折り曲げられ更に上方、そして後方へと折り曲げられ、後方にて連結されているメインガイドロッド１７と、該メインガイドロッド１７の上方に延びている部分の中間付近の高さに水平に設けられている矩形リング状のサブガイドロッド１９とを備えている。
メインガイドロッド１７の上方に延びている部分とサブガイドロッド１９を利用して両端部が冊子Ａ側に折り曲げられている矩形平板状の軸受支持プレート２１が取り付けられている。
そしてストッカ部７には多数の冊子Ａが収容され、収容された冊子Ａは下辺部が上記底板１５によって支持され、左右の側辺部と最後列の冊子Ａの後面が上記メインガイドロッド１７とサブガイドロッド１９とによって支持されることによって起立姿勢でストッカ部７内にストックされるようになっている。
【００１４】
冊子用押さえ具３は上記ストッカ部７内に起立姿勢でストックされる多数冊の冊子Ａを冊子Ａの数の増減に関係なく保持して冊子Ａの傾倒を防止する部材である。
そして冊子用押さえ具３は最前列の冊子Ａの前面の中央より幾分上方の位置に当接する当接部２３を備えている。当接部２３は線径が幾分太い丸棒状の部材を水平に配置したものである。
また上記当接部２３の中央付近の位置には冊子用押さえ具３の構成部材の一つであるアーム部２５の自由端側の部位が接続されている。上記アーム部２５は軸部２７、２７を両端に備え、これらの軸部２７、２７を外方に押し拡げるように付勢する弾性作用部２９を中間部に備えている。
【００１５】
そしてアーム部２５は基端側に設けられる軸部２７、２７を手前下方に位置させ、当該軸部２７、２７を回動中心として弾性作用部２９の後部上方に位置する自由端側を当接部２３と共に冊子Ａ側に回動させるように作動する。また、本実施の形態ではアーム部２５は弾性変形可能な１本の棒状部材を折り曲げて中間に位置する上記弾性作用部２９を形成すると共に、更にその両端を９０°幅方向Ｂのそれぞれの外方に向けて折り曲げることによって軸部２７、２７を形成している。
【００１６】
冊子用押さえ具３には軸部２７、２７を回転自在に支承する軸受部３１、３１が備えられている。軸受部３１、３１の内方端面には上記アーム部２５の弾性作用部２９における弾性作用と組み合わさってアーム部２５を冊子Ａ側に向けて回動させる案内傾斜面３３、３３が形成されている。
また本実施の形態では軸受部３１、３１は軸部２７、２７に外嵌めされるパイプ材によって構成されており、該パイプ材の内方端部を前方から後方に向けて対向するパイプ材間の間隔が広くなるように斜めにカットすることによって案内傾斜面３３が形成されている。
そして軸受部３１、３１は軸受支持プレート２１の下縁部の左右に溶接等によって取り付けられている。
【００１７】
次にこのようにして構成されている冊子用陳列棚１の作動態様を冊子用押さえ具３の作動態様を中心に説明する。
ストッカ部７に多数冊の冊子Ａをセットする場合には一方の手で当接部２３を持ってアーム部２５を手前一杯に回動させる。
この状態で他方の手で冊子Ａを持ち、ストッカ部７に順次セットして行く。そして所定数の冊子Ａがセットされたところで当接部２３から手を離す。
【００１８】
これによりアーム部２５は弾性作用部２９の軸部２７、２７を外方に押し拡げようとする弾性力と、冊子Ａ側が広くなるように形成されている案内傾斜面３３、３３の案内作用とによって冊子Ａ側に回動するようになり、図示のように当接部２３を最前列の冊子Ａの前面に当接させる。
従って起立姿勢でストッカ部７にストックされた冊子Ａの手前への傾倒が防止される。また冊子Ａに対する当接部２３の押圧力は弾性作用部２９の弾性力を調整することによって可変でき、冊子Ａの取り易さとストックされる冊子Ａの最大重量とを考慮して決定される。
【００１９】
このようにしてストッカ部７にストックされた冊子Ａは抜き取られることによって図５に示すように徐々に少なくなるが、冊子Ａの冊子数の減少に追従してアーム部２５が自動的に冊子Ａ側に回動するため当接部２３からの押圧力はほとんど変わらない。
同様に冊子Ａを補充して図５に示す状態から図４に示す状態に冊子Ａが増えたとしても上記当接部２３からの押圧力はほとんど変わらず安定した冊子Ａの保持作用が発揮される。
そして本考案の冊子用押さえ具３は部品点数が少なく構造が簡単なため、長期に亘って安定した冊子Ａの保持作用が持続される。
【００２０】
以上、本考案を実施するための最良の形態について詳述してきたが、具体的な構成は上述した構成に限られるものではなく、本考案の要旨を逸脱しない範囲内の一部構成の変更などがあっても本考案に含まれる。
例えば、支持フレーム５の形状やストッカ部７の配置は冊子用陳列棚１を設置する場所のスペースやストックする冊子の数量、種類等に応じて適宜変更することが可能である。また当接部２３とアーム部２５を一体の部材、例えば１本の丸棒状の部材を適宜折り曲げることによって形成することも可能である。この他、機械的強度を損なわない範囲で冊子用陳列棚１や冊子用押さえ具３を構成する部材の一部をプラスチック材料によって構成することも可能である。
【産業上の利用可能性】
【００２１】
本考案はフリーペーパー等を対象にした冊子用陳列棚の製造、使用分野等で利用でき、特に部品点数が少なく、構造が簡単で、常に安定した押さえ力を発揮して、起立姿勢でストックされている冊子の傾倒を防止したい場合に利用可能性を有する。
【図面の簡単な説明】
【００２２】
【図１】本考案を実施するための最良の形態に係る冊子用陳列棚の上部を示す斜視図である。
【図２】本考案を実施するための最良の形態に係る冊子用押さえ具を示す分解斜視図である。
【図３】本考案を実施するための最良の形態に係る冊子用陳列棚のストッカ部周辺を示す平面図である。
【図４】本考案を実施するための最良の形態に係る冊子用陳列棚のストッカ部周辺を示す多数冊の冊子が収容された状態の側面図である。
【図５】本考案を実施するための最良の形態に係る冊子用陳列棚のストッカ部周辺を示す冊子数が減少した状態の側面図である。
【符号の説明】
【００２３】
１  冊子用陳列棚                    ３  冊子用押さえ具
５  支持フレーム                    ７  ストッカ部
９  支柱                          １１  支柱
１３  横梁                          １５  底板
１７  メインガイドロッド            １９  サブガイドロッド
２１  軸受支持プレート              ２３  当接部
２５  アーム部                      ２７  軸部
２９  弾性作用部                    ３１  軸受部
３３  案内傾斜面
Ａ  冊子                            Ｂ  幅方向                        
【図１】
0003130733.tif 000003
【図２】
0003130733.tif 000004
【図３】
0003130733.tif 000005
【図４】
0003130733.tif 000006
【図５】
0003130733.tif 000007